(57)【要約】【課題】本発明は、噴射する液形態の種類を多くすることができ、また異なった形態の液が混ざることがなく、更にまた正面からの噴射する液形態の区別が簡単に可能なノズル、を有するトリガースプレイヤーを提供すること。【解決手段】シリンダー部２２内の液をピストン体３で加圧しノズル部Ｎから噴射させるトリガースプレイヤーＡであって、ノズル部が回転ノズル部６を有し、該回転ノズル部６の噴射口６１Ａが回転ノズルの中心から一定半径線上に複数個設けられていることを特徴とするトリガースプレイヤー。【選択図】図５
2011245435.tif 000002
【特許請求の範囲】
【請求項１】
シリンダー部内の液をピストン体で加圧しノズル部から噴射させるトリガースプレイヤーであって、ノズル部が回転ノズル部を有し、該回転ノズル部の噴射口が回転ノズルの中心から一定半径線上に複数個設けられていることを特徴とするトリガースプレイヤー。
【請求項２】
シリンダー部内の液をピストン体で加圧しノズル部から噴射させるトリガースプレイヤーであって、
ノズル部がノズル基部と該ノズル基部に回動可能に装着される回転ノズル部とを有し、該回転ノズル部は噴射口を備える前壁部と該前壁部から後方に突出した中心軸部と、該前壁部周辺から後方に延びる側壁部とを備え、
該噴射口が回転ノズルの中心から一定半径線上に複数個設けられており、
ノズル基部は前記中心軸部を収納する中心穴部と、前記前壁部に当接する拡大部を備え、
液が中心軸部と中心穴部の内壁部とで形成される液通路を通って噴射口から噴射されることを特徴とするトリガースプレイヤー。
【請求項３】
前記回転ノズル部の中心軸部の周囲に形成された複数の横溝のうちの１つが前記ノズル基部の中心穴部の内壁面の１つの横溝と一致して液通路が形成されることを特徴とする請求項２記載のトリガースプレイヤー。
【請求項４】
前記回転ノズル部の前壁部に形成された収束溝の形により噴射液の状態を変更するものであることを特徴とする請求項２記載のトリガースプレイヤー。
【請求項５】
ノズル基部の前面部に形成された対向する一対の弧状溝により液の流路を分岐することを特徴とする請求項２記載のトリガースプレイヤー。
【請求項６】
前記転ノズル部の前壁部に形成された収束溝が渦流を発生させる溝であることを特徴とする請求項４記載のトリガースプレイヤー。
【請求項７】
ノズル基部の前面壁には、ノズル前壁部との間で液漏れを防ぐための線状突起を形成したことを特徴とする請求項２記載のトリガースプレイヤー。
【請求項８】
ノズル基部がシリンダーに連絡される屈曲可能な連絡部（フレキシブルチューブ部）と一体となっていることを特徴とする請求項２記載のトリガースプレイヤー。
【請求項９】
前記請求項１記載のトリガースプレイヤーにおいて、容器キャップに取り付けられるボディ体と、該ボディ体に取り付けられたシリンダー構造体と該シリンダー構造体に備わったシリンダー部の外壁面を摺動可能なピストン体とボディ体に回動可能に取り付けられたトリガー体とよりなり、トリガー体を引き込むことによりシリンダー部内の液体をピストン体で加圧し、シリンダー部に連通するノズル部から噴射させるトリガースプレイヤーであって、ピストン体は、後方に延びるバネ部を有し、該バネ部は一対の上アーチ部と一対の下アーチ部とを有し、これらアーチ部の屈曲弾性によりトリガー体の復帰力を発揮するものであることを特徴とするトリガースプレイヤー。
【発明の詳細な説明】
【技術分野】
【０００１】
本発明は、各種液体等を噴射するのに好適なトリガースプレイヤーに関し、更に詳しくは、噴射する液形態の種類を多くすることができるトリガースプレイヤーに関するものである。
【背景技術】
【０００２】
従来、この種のトリガースプレイヤーは、液体容器に取り付けられ、その容器から吸い上げたシリンダー内の液体をトリガーの押圧力によってピストンを介して圧縮し、ノズル部から噴射させるようになっている。
通常、トリガースプレイヤーを使う場合に、噴射する液の形（液の形態）は、使用対象となる部分、好み等により種々の形態を必要とする。
すなわち液の噴射形態には、例えば、水流状に噴射させるもの（ジェット流）、噴霧状に噴射させるもの（スプレー流）、泡として噴射させるもの（フォーム流）等があり、このような液形態を使い分けて使用する。
このような形態の異なる液の噴射を行うには、いわゆる回転ノズルを使った方法が採用される。
すなわち回転ノズルを回動することにより、液の流れる溝合わせを行って、形態の異なる液を噴射するのである。
【０００３】
図１５は、その回転ノズル部の従来例を断面で示したものである。
回転ノズル部Ｚの回動の中心に溝を有する噴射口Ｚがあり、異なった形態の液がこの単一の噴射口Ｚから噴射される。
すなわち各液形態別の噴射口Ｚが共有されており、異なった形態の液が１つの噴射口Ｚから噴射される。
【０００４】
例えば、フォーム流が噴射された後、今度はジェット流を噴射させたい場合は、回転ノズルを一定角度回動させ、別の溝合わせをしてジェット流を噴射させる。
この場合、噴射口に最初に噴射したフォームが残留して付着していると、この残留フォームが次のジェット流に乗って一緒に噴射されることとなる。
このように、噴射口に残留する液が次の噴射される形態の液の中に混入される欠点がある。
一方、噴射口は回転ノズル部の中心部、すなわち軸線上にあるので、正面から見ても、今、如何なる液形態を噴射する噴射口となっているのか、区別できない。
もっとも、回転ノズル部の側面に対して、ジェット流、スプレー流、フォーム流、等の表示を設ければ、これを側面方向から見ることで区別ができるが、正面方向からは識別は不可能である。
更に、回転ノズルの中心に噴射する液形態を切り替える溝構造が設けられているため、設置スペースが小さくなり、液形態を切り替える溝構造は２種類が限度である。
３種類以上だと、集中して複雑な溝構造を形成することが必要であるため設置することは極めて困難である。
【０００５】
以上のように、従来の回転ノズル部では、液形態の種類を多くすることが難しく、また異なった形態の液が混ざり易く、更にまた、正面方向からからの噴射する液形態の区別が難しいものであった。
【先行技術文献】
【特許文献】
【０００６】
【特許文献１】特開２００６−２０５０４５号公報
【発明の概要】
【発明が解決しようとする課題】
【０００７】
本発明はかかる従来の問題点を解決できるものである。
すなわち、噴射する液形態の種類を多くすることができ、また異なった形態の液が混ざることがなく、更にまた正面からの噴射する液形態の区別が簡単に可能なノズル、を有するトリガースプレイヤーを提供することを目的とするものである。
【課題を解決するための手段】
【０００８】
かくして、本発明者は、このような課題背景に対して鋭意研究を重ねた結果、回転ノズル部の液の噴射口の配置を特殊なものとすることにより、このような構造、性能上の問題点を解決することができることを見出し、この知見に基づいて本発明を完成させたものである。
【０００９】
すなわち、本発明は、（１）、シリンダー部内の液をピストン体で加圧しノズル部から噴射させるトリガースプレイヤーであって、ノズル部が回転ノズル部を有し、該回転ノズル部の噴射口が回転ノズルの中心から一定半径線上に複数個設けられているトリガースプレイヤーに存する。
【００１０】
また、本発明は、（２）、シリンダー部内の液をピストン体で加圧しノズル部から噴射させるトリガースプレイヤーであって、ノズル部がノズル基部と該ノズル基部に回動可能に装着される回転ノズル部とを有し、該回転ノズル部は噴射口を備える前壁部と該前壁部から後方に突出した中心軸部と、該前壁部周辺から後方に延びる側壁部とを備え、該噴射口が回転ノズルの中心から一定半径線上に複数個設けられており、ノズル基部は前記中心軸部を収納する中心穴部と、前記前壁部に当接する拡大部を備え、液が中心軸部と中心穴部の内壁部とで形成される液通路を通って噴射口から噴射されるトリガースプレイヤーに存する。
【００１１】
また、本発明は、（３）、前記回転ノズル部の中心軸部の周囲に形成された複数の横溝のうちの１つが前記ノズル基部の中心穴部の内壁面の１つの横溝と一致して液通路が形成される上記（２）記載のトリガースプレイヤーに存する。
【００１２】
また、本発明は、（４）、前記回転ノズル部の前壁部に形成された収束溝の形により噴射液の状態を変更するものである上記（２）記載のトリガースプレイヤーに存する。
【００１３】
また、本発明は、（５）、ノズル基部の前面部に形成された対向する一対の弧状溝により液の流路を分岐する上記（２）記載のトリガースプレイヤーに存する。
【００１４】
また、本発明は、（６）、前記回転ノズル部の前壁部に形成された収束溝が渦流を発生させる溝である上記（４）記載のトリガースプレイヤーに存する。
【００１５】
また、本発明は、（７）、  ノズル基部の前面壁には、ノズル前壁部との間で液漏れを防ぐための線状突起を形成した上記（２）記載のトリガースプレイヤーに存する。
【００１６】
また、本発明は、（８）、ノズル基部がシリンダーに連絡される屈曲可能な連絡部（フレキシブルチューブ部）と一体となっている上記（２）記載のトリガースプレイヤーに存する。
【００１７】
また、本発明は、（９）、上記（１）記載のトリガースプレイヤーにおいて、容器キャップに取り付けられるボディ体と、該ボディ体に取り付けられたシリンダー構造体と該シリンダー構造体に備わったシリンダー部の外壁面を摺動可能なピストン体とボディ体に回動可能に取り付けられたトリガー体とよりなり、トリガー体を引き込むことによりシリンダー部内の液体をピストン体で加圧し、シリンダー部に連通するノズル部から噴射させるトリガースプレイヤーであって、ピストン体は、後方に延びるバネ部を有し、該バネ部は一対の上アーチ部と一対の下アーチ部とを有し、これらアーチ部の屈曲弾性によりトリガー体の復帰力を発揮するものであるトリガースプレイヤーに存する。
【発明の効果】
【００１８】
本発明のトリガースプレイヤーによれば、ノズル部Ｎが回転ノズル部６を有し、該回転ノズル部６の噴射口６１Ａが回転ノズル部６の中心から一定半径線上に複数個設けられているので、従来の回転ノズル部のように噴射口（図１５参照）が中心軸にあるのとは異なって設置スペースは十分に確保でき、より多くの噴射口６１Ａを設けることが可能である。
【００１９】
また噴射口６１Ａの周りに区別模様を形成しておくことにより、噴射すべき液の形態の種類を容易に視認できる
また噴射口６１Ａを共有しない独立した構造であるため、従来のように異なった形態の液が混ざり合うようなことがない。
またピストン体は後方に延びるバネ部を有するのでピストンの動きが確実に効率よくバネ部に伝えられる。
【図面の簡単な説明】
【００２０】
【図１】図１は、本発明の実施形態におけるトリガースプレイヤーの全体構成例を示す断面図である。
【図２】図２は、本発明の実施形態におけるトリガースプレイヤーの全体構成例を示す断面図であり、トリガーを引いた後の状態を示す。
【図３】図３は、本発明の実施形態におけるトリガースプレイヤーの全体側面図を示す。
【図４】図４は、本発明の実施形態におけるトリガースプレイヤーの分解図を示す。
【図５】図５は、ノズル部Ｎを拡大して示した図であり、スプレー流の噴射の場合を示し、（Ａ）は正面図、（Ｂ）は縦断面図、（Ｃ）は回転ノズル部の背面図、及び（Ｄ）は、ノズル基部の正面図である。
【図６】図６は、ノズル部Ｎを拡大して示した図であり、ジェット流の噴射の場合を示し、（Ａ）は正面図、（Ｂ）は縦断面図、及び（Ｃ）は回転ノズル部の背面図である。
【図７】図７は、ノズル部Ｎを拡大して示した図であり、フォーム流の噴射の場合を示し、（Ａ）は正面図、（Ｂ）は縦断面図、及び（Ｃ）は回転ノズル部の背面図である。
【図８】図８は、ノズル部Ｎを拡大して示した図であり、噴射口が閉じて噴射できない場合を示し、（Ａ）は正面図、（Ｂ）は縦断面図、及び（Ｃ）は回転ノズル部の背面図である。
【図９】図９は、本発明の実施形態のトリガースプレイヤーにおいて、ボディ体とシリンダー構造体との配設関係を示すものであり、（Ａ）は装着前、（Ｂ）装着後を示す。
【図１０】図１０は、本発明の実施形態におけるトリガースプレイヤーのシリンダー構造体を示す図である。
【図１１】図１１は、シリンダー構造体のノズル部の先端にあるノズル口部がボディ体のノズル下取り付け部に支持された状態を示す。
【図１２】図１２は、ピストン体を説明する断面図である。
【図１３】図１３は、本発明の別の実施形態におけるトリガースプレイヤーのシリンダー構造体を示す断面図である。
【図１４】図１４は、本発明の更に別の実施形態におけるトリガースプレイヤーの全体構成例を示す断面図である。
【図１５】図１５は、従来の回転ノズル部を説明する図であり、Ａは正面図、Ｂは縦断面図を示す。
【発明を実施するための形態】
【００２１】
本発明は、複数の形態の液を噴射できるノズル部Ｎを有するもので、この特殊なノズル部Ｎを備えたトリガースプレイヤーＡにある。
そして、複数の形態の液を噴射できるノズル部Ｎを備えたトリガースプレイヤーＡであれば、如何なる種類のトリガースプレイヤーＡであっても適応可能である。
以下、ここでは、横方向にシリンダ・ピストンの構造を有するトリガースプレイヤーＡの実施の形態について説明する。
【００２２】
図１は、本発明の実施形態におけるトリガースプレイヤーＡ体構成例を示す断面図である。
【００２３】
また、図２は、同じくトリガースプレイヤーＡの全体構成例を示す断面図であり、トリガーを引いた後の状態を示す。
【００２４】
図３は、本発明の実施形態におけるトリガースプレイヤーＡの全体側面図を示す。
【００２５】
図４は、本発明の実施形態におけるトリガースプレイヤーＡの分解図を示す。
このトリガースプレイヤーＡは、ボディ体１を介して容器キャップに取り付け、容器本体に充填されている液体をノズル部Ｎから外部に噴射（吐出）させる機能を有するものである。
【００２６】
このトリガースプレイヤーＡは、そのボディ体１の部分が容器キャップＢに取り付けられる。
該ボディ体１には、シリンダー部２２を有するシリンダー構造体２が取り付けられ、該シリンダー部２２内を特殊な形状のピストン体３が前後方向に摺動可能となっている。
なお、以下前後方向とはノズル側を前方とした場合で、図１でいう左右方向を云う。
ボディ体１にはトリガー体４が回動可能に取り付けられており、このトリガー体４を指等を使って引き込むことによりピストン体を後方に動かしシリンダー部内の液体を加圧し、シリンダー部２２に連通するノズル首部２３を通してノズル部Ｎから液を噴射させる。
本発明のトリガースプレイヤーＡはノズル部の噴射口が回転ノズル部の中心から一定半径線上に複数個設けられている独特の構造を有する特徴がある。
【００２７】
まず、トリガースプレイヤーＡにおけるノズル部Ｎについて詳しく説明する。
（ノズル部）
図５は、ノズル部Ｎを拡大して示した図であり、スプレー流の噴射の場合を示す。
図５（Ａ）は正面図、図５（Ｂ）は縦断面図、図５（Ｃ）は回転ノズル部の背面図、及び図５（Ｄ）は、ノズル基部の正面図である。
【００２８】
また、図６は、ノズル部Ｎを拡大して示した図であり、ジェット流の噴射の場合を示す。
図６（Ａ）は正面図、図６（Ｂ）は縦断面図、及び図６（Ｃ）は回転ノズル部の背面図である。
【００２９】
また、図７は、ノズル部Ｎを拡大して示した図であり、フォーム流の噴射の場合を示す。
図７（Ａ）は正面図、図７（Ｂ）は縦断面図、及び図７（Ｃ）は回転ノズル部の背面図である。
【００３０】
また、図８は、ノズル部Ｎを拡大して示した図であり、噴射口が閉じて噴射できない場合を示す。
図８（Ａ）は正面図、図８（Ｂ）は縦断面図、及び図８（Ｃ）は回転ノズル部の背面図である。
【００３１】
ノズル部Ｎは、ノズル基部２３Ａと該ノズル基部２３Ａに回動可能に装着される回転ノズル部６とを有する。
この例では、後述するようにノズル基部２３Ａがシリンダーに連絡される屈曲可能な連絡部（フレキシブルチューブ部）と一体となっている。
この回転ノズル部６は噴射口６１Ａが形成された前壁部６１と該前壁部６１の中央から（回転中心から）、垂直に、図でいう後方に突出した中心軸部６２を備える。
噴射口６１Ａは回転ノズル部６の中心から一定半径線上に複数個（ここでは３個）、間隔をおいて独立して設けられている。
従って、回転ノズル部６を一定角度回転させると噴射口６１Ａも一定半径線上を動く。
【００３２】
中心軸部６２の周囲には複数本（ここでは３本）の横溝Ｇ１，Ｇ１，Ｇ１が個々に形成されている。
この横溝Ｇ１，Ｇ１，Ｇ１は中心軸部６２の中央部から先端にかけて一定長さに形成されている。
前壁部６１の周辺からは後方に延びる側壁部６３が形成されている。
【００３３】
この側壁部６３は内側が円筒状に形成され、また外側が正４角形状に形成されている。
回転ノズル部６の前壁部６１（前壁部６１の裏面）には液を収束させて噴射口６１Ａと連通する３つの風車状の収束溝６１Ｂが形成されている。
これら風車状の収束溝６１Ｂは液を収束させて噴射口６１Ａに誘導する役割を果たす。
この中の２つは渦流を発生させるものであり、１つはスプレー流、他の１つはフォーム流の噴射に対応する。
また前壁部６１（前壁部６１の表面）には、噴射口６１Ａの１つを取り囲むように円筒部６４が突出して形成されている。
噴射口から渦流を噴射しこの円筒部に衝突させることによりフォーム流となる。
【００３４】
一方、ノズル基部２３Ａは鍔付きのスリーブ状をしており、前記回転ノズル部６の中心軸部６２を収納するための中心穴部Ｈを有する。
この中心穴部Ｈの内壁面には１本の横溝Ｇ２が形成されている。
この横溝Ｇ２は後述の前部当接面から後方に一定長さに形成されている。
この横溝Ｇ２は、後述するように回転ノズル部６の溝合わせする際、中心軸部６２の横溝Ｇ１，Ｇ１，Ｇ１の１つと長さ方向に一部が重なって連通状態となる。
【００３５】
またノズル基部２３Ａは、回転ノズル部６の前壁部６１に当接する前部当接面を備えている。
ノズル基部２３Ａの前部当接面には相向かい合う一対の弧状溝２３Ａ１が設けられており、前記ノズル基部２３Ａの中心穴部Ｈの内壁面に形成された１本の横溝Ｇ２と連通している。
この一対の弧状溝２３Ａ１は、横溝Ｇ２から導入される液を一旦、分岐させるためのものである。
ところで回転ノズル部６をノズル基部２３Ａに取り付けるには、回転ノズル部６の中心軸部６２をノズル基部２３Ａの中心穴部Ｈに圧入する。
中心軸部６２の外周面と中心穴部Ｈに内周面は圧接状態となり、またノズル基部２３Ａの前部当接面と回転ノズル部６の前壁部６１とが圧接状態となる。
ノズル基部２３Ａの前部当接面には、回転ノズル部６の前壁部６１との間で液漏れを防ぐための図示しない線状突起が形成されており、より確実な封止状態が保たれる。
【００３６】
回転ノズル部６は回動させると、その中心軸部６２の外周面に形成された複数の横溝Ｇ１，Ｇ１，Ｇ１の１つが、前記ノズル基部２３Ａの中心穴部Ｈの内壁面に形成された横溝Ｇ１と一致して重なり、液の通路が形成される。
尚、この液の通路は、前述した回転ノズル部６の前壁部６１の風車状の収束溝６１Ｂ、及び噴射口６１Ａに連通していることは云うまでもない。
従って、このトリガースプレイヤーＡにおいては、液が噴射される際、シリンダー部２２に通じるフレキシブルチューブ部２３Ｂから供給されてきた液はノズル部Ｎに入る。
そして回転ノズル部６とノズル基部２３Ａとの間の壁面で形成される液の通路を通って噴射口６１Ａから外部に噴射される。
【００３７】
すなわちノズル部Ｎにおいては、液は中心軸部６２の外周面に形成された複数の横溝Ｇ１，Ｇ１，Ｇ１の１つを通り、次に中心穴部Ｈの内壁面に形成された横溝Ｇ２を通り、次にノズル基部２３Ａの前部当接面に形成された一対の弧状溝２３Ａ１を通り、次に回転ノズル部６の前壁部６１に形成された風車状の収束溝６１Ｂを通り、最後に噴射口６１Ａから外部に噴射される。
回転ノズル部６の回転により、ノズル基部２３Ａに形成された一対の弧状溝２３Ａ１に対応する風車状の収束溝６１Ｂを選択できるので、ジェット流、スプレー流、フォーム流等の液形態の異なった噴射が可能である。
なお、噴射ができない状態（ＯＦＦ状態）においては、一対の弧状溝２３Ａ１には、噴射口６１Ａが形成されていない部分が対応する。
この噴射口６１Ａは回転ノズル部６の中心から一定半径線上に複数個独立して設けられているので、噴射口６１Ａの周りに区別模様を形成しておくことにより、噴射すべく液形態の種類を容易に視認できる
【００３８】
また従来の回転ノズル部のように噴射口（図１５参照）が中心軸にあるのとは異なって、設置スペースは十分に確保できる。
従って、従来に比べ、より多くの噴射口６１Ａを設けることが可能である。
また噴射口６１Ａを共有しない独立した構造であるため、従来のように異なった形態の液が混ざり合うようなことがない。
【００３９】
以下、さらにノズル部Ｎ以外のトリガースプレイヤーＡを構成する各要素部品について詳しく述べていく。
（ボディ体）
ボディ体１はシリンダー構造体２やトリガー体４、ピストン体３を組み付けるベースとなる部分で、容器キャップＢに係止されて取り付けられるが、直接、容器の口部に取り付けることも可能である。
ボディ体１は、ベース部１１と該ベース部に一体に形成されたカバー部１２とよりなる。
このカバー部１２はベース部１１の後方にあるヒンジを介して回動可能となるように一体となって形成されている。
このカバー部１２の先端には、ノズル部Ｎを上方から押さえるノズル上取付け部１２Ａを備える。
【００４０】
また、ボディ体１は、ベース部１１から上方に延びる両側側壁部１１Ａと該側壁部の前端に形成されノズル部Ｎを下方から支えるノズル下取付け部１１Ｂを備える。
ボディ体１のベース部１１にはシリンダー構造体２の円筒基部２１を装着するためのシリンダー装着部１１Ｃが設けられており、このシリンダー装着部１１Ｃの下端にシリンダー構造体２が装着された状態で抜け止めを行うための雌嵌合部１１Ｄが形成されている。
【００４１】
図９は、本発明の実施形態のトリガースプレイヤーＡにおいて、ボディ体１とシリンダー構造体２の配設関係を示すもので、図９（Ａ）は装着前、図９（Ｂ）装着後を示す。
シリンダー構造体２の円筒基部２１が上方から押し込まれボディ体１のベース部１１のリンダー装着部１１Ｃに装着されており、この状態で、シリンダー構造体１の後述する雄嵌合部２５がベース部の雌嵌合部１１Ｄに嵌まって係止されているのが分かる。
このような装着作用と抜け止め作用とが別々の部分でなされるため、シリンダー構造体２はボディ体１に対して封止めされ、また安定した取付け状態となる。
ボディ体１にシリンダー構造体２やピストン体３が収納された状態で、カバー部１２を回動して閉じることでこれら主要な内部機構が覆われて保護される。
【００４２】
（シリンダー構造体）
シリンダー構造体２は、円筒基部２１と該円筒基部から起立して前後方向に延びるシリンダー部２２と、円筒基部２１の上端部から上方に延びるノズル首部２３を備えている。
円筒基部２１とノズル首部２３の先端の位置にあるノズル基部２３Ａを連絡する部分は屈曲自在なフレキシブルチューブ部２３Ｂとなっている。
シリンダー部２２の下方には円筒基部から突出し前後方向に延びる中空のガイド軸２４が並列して形成されている。
シリンダー部２２は有底の円筒状であり底面２２Ａにノズル部Ｎに連絡される連絡通路Ｐが形成されている。
また円筒基部２１の下端には雄嵌合部２５が設けられ、この雄嵌合部２５が前述したボディ体１のベース部１１に形成された雌嵌合部１１Ｄに係止されて取り付けられる。
なお、その際、円筒基部２１は、前述したようにボディ体１のシリンダー装着部１１Ｃに装着される。
【００４３】
シリンダー構造体２は、これらノズル首部２３、フレキシブルチューブ部２３Ｂ、円筒基部２１、シリンダー部２２、及びガイド軸２４が一体に成形（例えば射出成形により）されて作られている。
そしてシリンダー構造体２は、成形後の成形品としては、円筒基部２１に対してノズル首部２３（すなわちズル基部２３Ａとフレキシブルチューブ部２３Ｂ）が延長されて同軸となっている。
【００４４】
図１０は、本発明の実施形態におけるトリガースプレイヤーＡのシリンダー構造体（射出成形品）を示す図である。
ボディ体１に組み付ける際は、フレキシブルチューブ部２３Ｂを前方に屈曲しボディ体のノズル下取付け部１１Ｂとカバー部のノズル上取付け部１２Ａとの間で把持された状態で取り付けられる。
【００４５】
図１１は、ノズル部の先端にあるノズル口部２３がボディ体のノズル下取付け部１１Ｂに支持された状態を示し、この後、カバー部のノズル上取付け部１２Ａにより挟み込まれる。
【００４６】
（ピストン体）
ピストン体３は、シリンダー部２２内にある液体を加圧してシリンダー部内に連通するノズル部Ｎから噴射させるものである。
【００４７】
図１２は、ピストン体３を説明する断面図である。
ピストン体３は、内側有底円筒部３１と外側円筒部３２を備え、両者は、外方に（すなわち図でいうと前方に）開放されており、底面３１Ａが後方となっている。
また、内側有底円筒部３１は、シリンダー部の内壁面に沿って移動し、外側円筒部３２はシリンダー部の外壁面を圧するように摺動する。
すなわちシリンダー部の先端が外方にやや径大になっており、この径大部がピストン体３の外側円筒部３２の内壁面に圧接されている。
なお内側有底円筒部３１のシリンダー部の内壁面とは圧接状態にはない。
【００４８】
内側有底円筒部３１の外壁面と外側円筒部３２の内壁面とシリンダー部の先端部で空間Ｓ１が区画形成される。
ピストン体が押されて後方に摺動するにつれて、この空間Ｓ１は縮小して、下死点（図２のように、ピストン体が最も後方の位置となる点）においてはゼロ空間となる。
この空間Ｓ１の液体はシリンダー部内の大空間Ｓに移動することはいうまでもない。
内側有底円筒部３１の底面３１Ａは平らなのでシリンダー部２２の平らな底面に正確に当接することができる。
そのため、シリンダー部内の有効空間を最大限に利用できる。
【００４９】
ピストンは、トリガーから伝わる力によって移動するが、この力はピストンの開口端（図でいう前方端）から突出形成された押棒３３をトリガーで押すことにより行われる。
この押棒３３は、シリンダー部内壁に一部厚み部分を設け延出させて形成されている。
一方、ピストン体の外側円筒部３２の一部は下方に突出して有底円筒案内部３４を形成している。
【００５０】
この有底円筒案内部３４は前述したシリンダー部の下方に並列して存在するガイド軸２４に沿って案内され前後方向に移動する。
有底円筒案内部３４には外気に通じる通気溝Ｔが形成されており、ピストン体が最大後方に移動した時、外気がこの通気溝Ｔからガイド軸２４内を通って容器本体内に入り負圧が防止される。
また、ピストン体３は外側円筒部３２から後方に延設されたバネ部３５を有する。
このバネ部３５は一対の上アーチ部３５Ａと一対の下アーチ部３５Ｂとよりなるもので、上アーチ部３５Ａと下アーチ部３５Ｂとが離れるように曲がることでピストンの復帰力を蓄えるものである。
すなわち、これら各アーチ部の屈曲弾性によりトリガー体４の復帰力を発揮するものである。
【００５１】
（トリガー体）
トリガー体４は、ボディ体１に回動可能に取り付けられている。
すなわち、トリガー体４の上端には、外方に回動軸４１が突出しており、この回動軸４１がボディ体１に形成されたＵ字状の軸受け部１３に嵌り込んでいる。
トリガー体４は回動軸４１を下方からＵ字状の軸受け部に押し込むことで軸受け部１３に取り付けられる。
また、トリガー体４には回動軸４１の下方に凹部４２が形成されており、この凹部４２で前述したピストンの押棒３３の先端を押圧する。
そのため、トリガーを引き込むと、回動軸を支点としてトリガーが回動し、この凹部４２がピストン体３の押棒３３の先端を押圧することで、ピストン体はシリンダー部内を後方に摺動する。
この場合、トリガー体４の回動により凹部４２の位置が上下に多少動くため押棒３３も同様に動く。
しかし、前述したように、ピストン体は、外側円筒部３２の部分でシリンダー部２２に圧接されているだけなので（すなわちピストン体３の内側有底円筒部３１とシリンダー部２２の内壁面とは圧接状態にはない）、上下方向の振れにも十分、対応することができる。
【００５２】
上述の各部品要素の材料としては、好ましくは、ボディ体１、ピストン体３、及びトリガー体４がポリプロピレン、シリンダー構造体２は直鎖状低密度ポリエチレンが採用される。
以上述べた、ボディ体１シリンダー構造体２、ピストン体３、トリガー体４が一体に組み込まれる。
尚、その際、ファーストバルブＦＶ（例えば低密度ポリエチレン製）やノズルキャップ（例えばポリプロピレン製）、吸い上げ管（例えばポリプロピレン製）が同時に取り付けられる。
【００５３】
組み付けにおいて、ボディ体１にシリンダー構造体２を取り付ける場合は、シリンダー構造体の円筒基部をボディ体のシリンダー装着部１１Ｃに上方から押し入れる。
そして押し入れが終了した段階では、シリンダー構造体の雄嵌合部２５がボディ体の雌嵌合部１１Ｄに係止固定される。
これでボディ体（詳しくはシリンダー装着部）とシリンダー構造体（詳しく円筒基部）との間の密封が確実に保たれる。
また、ボディ体１に対するシリンダー構造体２の抜けが防止される。
【００５４】
また、ピストン体３は、そのバネ部３５のアーチ部の間に下方からノズル首部２３を通した状態で、ピストンと有底円筒案内部３４をシリンダー構造体のシリンダー部及びガイド軸２４に沿って押し込む。
バネ部の後端は、ボディ体のベース部に立設した起立壁１１Ｅに当接して支持される。
トリガー体４は、ボディ体１に対して下方から押し上げることで、その回動軸４１がボディ体のＵ字状の軸受け部１３に嵌り込み回動自在に取り付けられる。
最後に、カバーをヒンジ部を起点として回動させ、その先端のノズル上取付け部１２Ａとボディ体のノズル下取付け部１１Ｂとでノズル首部２３を挟み込み、ノズルキャップを装着する。
このようにトリガースプレイヤーＡにおいては組み込みが極めて容易に行われる。
【００５５】
（作用）
次にトリガースプレイヤーＡを使った場合の操作を述べる。
いま、トリガースプレイヤーＡを握って指でトリガー体４を引くと、トリガー体が回動軸４１を支点として回動し、ピストン体の押棒３３を押す。
ピストン体３の内側有底円筒部３１は、シリンダー部２２の内壁面に沿って移動し、且つ外側円筒部３２はシリンダー部２２の外壁面を圧するように摺動する。
トリガー体４の回動により押棒３３も上下に動くが、前述したように、ピストン体３は上下方向の振れにも十分、対応することができる。
【００５６】
ピストン体３が後方向に押し込まれると、シリンダー部内の液は加圧され、シリンダー部の底面に形成された連絡通路Ｐからフレキシブルチューブ部２３Ｂを通ってノズル基部２３Ａから液が噴射される。
ピストン体が押されて後方に摺動するにつれて、空間Ｓ１は縮小し、ここにある液体はシリンダー部内の大空間Ｓに移動し、またこの大空間Ｓも縮小する。
下死点では大空間Ｓはゼロとなる。
【００５７】
また、ピストン体やトリガー体の復帰力についていうと、ピストン体が後方向に移動すると、バネ部３５が変形して復帰力が生まれる。
すなわちバネ部の上アーチ部３５Ａと下アーチ部３５Ｂとが曲がって相互に離れると、バネ力が生じ復帰力が蓄えられる。
【００５８】
トリガー体４から指を放して力を抜くと、この復帰力により、バネ部の上アーチ部３５Ａと下アーチ部３５Ｂとが接近するように作用し、ピストン体３が前方に戻るように移動する。
バネ部３５はピストン体３と一体となっているので、両者間に摩擦、間隙等は全く生じなく、ピストン体３の力がバネ部３５に確実にしかも効率良く伝達される。
【００５９】
以上、本発明を説明したが、本発明は、上述した実施の形態に限定されることなく、変形例も可能である。
例えば、シリンダー構造体２に一体化されているノズル基部２３Ａは、フレキシブルチューブ部２３Ｂ（液の通路部）を介してノズル基部２３Ａがあるが、フレキシブルチューブ部２３Ｂを屈曲しない液の通路部としてもよい。
またノズル基部２３Ａをシリンダー構造体２と別体とすることも可能である。
【００６０】
図１３は、ノズル部が屈曲可能なフレキシブルチューブ部２３Ｂを使わない通路部を有する別の実施形態のシリンダー構造体２を示す断面図である。
また、カバー部１２については、ベース部１１に一体に形成されてなくとも、別体であっても採用可能である。
またシリンダー部の円筒基部２１の雄嵌合部２５やボディ体のベース部の雌嵌合部１１Ｄは、どちらを雌にするか雄にするかは自由である。
【００６１】
図１４は、本発明の更に別の実施形態におけるトリガースプレイヤーの全体構成例を示す断面図である。
この例では、ノズル部Ｎのノズル基部７が図１のようにフレキシブルチューブ部２３Ｂと一体になっているものとは違って、独立した部品となっているものである。
このように、本発明のノズル部Ｎの原理は種々のトリガースプレイヤーに適用でき極めて有用である。
【産業上の利用可能性】
【００６２】
本発明は、シリンダー部内の液をピストン体で加圧しノズル部から噴射させるトリガースプレイヤーであって、ノズル部が回転ノズル部を有し、該回転ノズル部の噴射口が回転ノズルの中心から一定半径線上に複数個設けられているものである。
そのため噴射する液形態の種類を多くすることでき、また異なった液形態が混ざることがなく、更にまた正面からの噴射する液形態の区別が簡単に可能である。
この原理を応用する限り、このトリガースプレイヤー以外の型式構造を持つポンプディスペンサーにも適用可能である。
【符号の説明】
【００６３】
１…ボディ体
１１…ベース部
１１Ａ…両側側壁部
１１Ｂ…ノズル下取付け部
１１Ｃ…シリンダー装着部
１１Ｄ…雌嵌合部
１１Ｅ…起立壁
１２…カバー部
１２Ａ…ノズル上取付け部
１３…軸受け部
２…シリンダー構造体
２１…円筒基部
２２…シリンダー部
２２Ａ…底面
２３…ノズル首部
２３Ａ…ノズル基部
２３Ａ１…一対の弧状溝
２３Ｂ…フレキシブルチューブ部
２４…ガイド軸
２５…雄嵌合部
３…ピストン体
３１…内側有底円筒部
３１Ａ…底面
３２…外側円筒部
３３…押棒
３４…有底円筒案内部
３５…バネ部
３５Ａ…上アーチ部
３５Ｂ…下アーチ部
４…トリガー体
４１…回動軸
４２…凹部
５…吸い上げ管
６…回転ノズル部
６１…前壁部
６１Ａ…噴射口
６１Ｂ…風車状の収束溝
６２…中心軸部
６３…側壁部
６４…円筒部
７…ノズル基部
Ａ…トリガースプイレイヤー
Ｂ…容器キャップ
Ｇ１…横溝
Ｇ２…横溝
Ｈ…中心穴部
Ｎ…ノズル部
Ｐ…連絡通路
Ｓ…空間
Ｔ…通気溝
ＦＶ…ファ−ストバルブ
Ｚ…噴射口
【図１】
2011245435.tif 000003
【図２】
2011245435.tif 000004
【図３】
2011245435.tif 000005
【図４】
2011245435.tif 000006
【図５】
2011245435.tif 000007
【図６】
2011245435.tif 000008
【図７】
2011245435.tif 000009
【図８】
2011245435.tif 000010
【図９】
2011245435.tif 000011
【図１０】
2011245435.tif 000012
【図１１】
2011245435.tif 000013
【図１２】
2011245435.tif 000014
【図１３】
2011245435.tif 000015
【図１４】
2011245435.tif 000016
【図１５】
2011245435.tif 000017